(57)【要約】  赤色副画素（４２Ｒ）、緑色副画素（４２Ｇ）、青色副画素（４２Ｂ）及び白色副画素（４２Ｗ）の４つの副画素から画素（４２）が構成される画像表示部（４０）、並びに、各画素用の信号Ｒｃｖｔ，Ｇｃｖｔ，Ｂｃｖｔ，Ｗｃｖｔを生成する信号生成部（２０）を備える画像表示装置において、前期信号生成部（２０）は、外部から入力された画像信号を線形化かつ正規化した画像信号をＲｎＬ、ＧｎＬ、ＢｎＬと、それらの最小値をＭｉｎＲＧＢｎＬと、また、所定の閾値をＴＨ１と表したとき、ＭｉｎＲＧＢｎＬ≦ＴＨ１の場合には、Ｗｃｖｔ＝ＭｉｎＲＧＢｎＬ／ＴＨ１、Ｒｃｖｔ＝ＲｎＬ−ＭｉｎＲＧＢｎＬ、Ｇｃｖｔ＝ＧｎＬ−ＭｉｎＲＧＢｎＬ、Ｂｃｖｔ＝ＢｎＬ−ＭｉｎＲＧＢｎＬ、とし、ＭｉｎＲＧＢｎＬ＞ＴＨ１の場合には、Ｗｃｖｔ＝１、Ｒｃｖｔ＝（ＲｎＬ−ＴＨ１）／（１−ＴＨ１）、Ｇｃｖｔ＝（ＧｎＬ−ＴＨ１）／（１−ＴＨ１）、Ｂｃｖｔ＝（ＢｎＬ−ＴＨ１）／（１−ＴＨ１）、とする変換を行う。
2014038348.tif 000002
【特許請求の範囲】
【請求項１】
赤色副画素、緑色副画素、青色副画素および白色副画素から構成された画素が２次元マトリクス状に配列された画像表示部、及び、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部、
を備えており、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置。
【請求項２】
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
請求項１に記載の画像表示装置。
【請求項３】
画像表示部は反射型である請求項１に記載の画像表示装置。
【請求項４】
画像表示部は透過型である請求項１に記載の画像表示装置。
【請求項５】
赤色副画素、緑色副画素、青色副画素および白色副画素から構成された画素が２次元マトリクス状に配列された画像表示部、及び、表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部を備えた画像表示装置の駆動方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置の駆動方法。
【請求項６】
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置において実行されることにより、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成プログラム。
【請求項７】
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成装置。
【請求項８】
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成方法。
【発明の詳細な説明】
【技術分野】
【０００１】
本開示は、画像表示装置および画像表示装置の駆動方法、並びに、信号生成装置、信号生成プログラムおよび信号生成方法に関する。
【背景技術】
【０００２】
近年、カラー表示の画像表示装置にあっては、高輝度化などを図るために、赤色を表示する赤色副画素、緑色を表示する緑色副画素、青色を表示する青色副画素の３つの副画素に加え、例えば、白色を表示する白色副画素を加えた構成とする技術が注目されている。【０００３】
例えば、特許第４１２０６７４号公報（特許文献１）には、カラー表示を行うサブ画素に加えて更に透明又は白色領域を有するサブ画素を含む表示画素を備えた液晶パネルと、液晶パネルを照明する照明装置と、入力されるＲＧＢの画像信号に基づいてサブ画素に対応する画像信号と照明装置から出光する光の輝度を調整する制御信号とを決定する表示画像変換回路とを含む画像表示装置が記載されている。
【先行技術文献】
【特許文献】
【０００４】
【特許文献１】特許第４１２０６７４号公報
【発明の概要】
【発明が解決しようとする課題】
【０００５】
引用文献１に開示された技術にあっては、照明装置から出射する光の輝度が制御可能であることを前提として、入力されるＲＧＢの画像信号に基づいて各サブ画素に対応する画像信号を決定する。このため、外光を反射して表示を行う反射型の画像表示装置や、出光する光の強さが固定された構成の照明装置を有する画像表示装置などの制御には適していない。【０００６】
従って、本開示の目的は、外光を反射して表示を行うなどといった場合にも輝度の増加を確実に図ることができる画像表示装置および画像表示装置の駆動方法、並びに、信号生成装置、信号生成プログラムおよび信号生成方法を提供することにある。
【課題を解決するための手段】
【０００７】
上記の目的を達成するための本開示の画像表示装置は、
赤色副画素、緑色副画素、青色副画素および白色副画素から構成された画素が２次元マトリクス状に配列された画像表示部、及び、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部、
を備えており、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置である。【０００８】
また、上記の目的を達成するための本開示の画像表示装置の駆動方法は、
赤色副画素、緑色副画素、青色副画素および白色副画素から構成された画素が２次元マトリクス状に配列された画像表示部、及び、表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部を備えた画像表示装置の駆動方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置の駆動方法である。【０００９】
また、上記の目的を達成するための本開示の信号生成プログラムは、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置において実行されることにより、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成プログラムである。【００１０】
また、上記の目的を達成するための本開示の信号生成装置は、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成装置である。【００１１】
また、上記の目的を達成するための本開示の信号生成方法は、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成方法である。
【発明の効果】
【００１２】
本開示に係る画像表示装置および画像表示装置の駆動方法、並びに、信号生成装置、信号生成プログラムおよび信号生成方法によれば、白色副画素を有効に用いた状態で画像が表示される。これにより、表示される画像の輝度の増加を確実に図ることができる。
【図面の簡単な説明】
【００１３】
【図１】図１は、第１の実施形態に係る画像表示装置の概念図である。
【図２】図２は、画素が赤色副画素、緑色副画素および青色副画素の３つの副画素から構成されていると仮定したときに、設計上の最大輝度で白色を表示した場合の明るさを説明するための模式的な平面図である。
【図３】図３は、赤色副画素、緑色副画素、青色副画素および白色副画素の４つの副画素から画素が構成されている構成の画像表示部において、設計上の最大輝度で白色を表示した場合の明るさを説明するための模式的な平面図である。
【図４】図４は、ＭｉｎＲＧＢnL≦ＴＨ1である場合の処理を説明するための模式的なグラフである。
【図５】図５は、ＭｉｎＲＧＢnL＞ＴＨ1である場合の処理を説明するための模式的なグラフである。
【図６】図６は、最大輝度で白色を表示する映像信号が入力される場合の処理を説明するための模式的なグラフである。
【発明を実施するための形態】
【００１４】
以下、図面を参照して、実施形態に基づき本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係る画像表示装置および画像表示装置の駆動方法、並びに、信号生成装置、信号生成プログラムおよび信号生成方法、全般に関する説明
２．第１の実施形態、その他
【００１５】
［本開示に係る画像表示装置および画像表示装置の駆動方法、並びに、信号生成装置、信号生成プログラムおよび信号生成方法、全般に関する説明］
本開示にあっては、画像表示部の構成や方式は特に限定するものではない。例えば、画像表示部は、動画の表示に適したものであってもよいし、静止画の表示に適したものであってもよい。画像表示部は反射型であってもよいし、透過型であってもよい。反射型の画像表示部として、例えば反射型の液晶表示パネルや、電子ペーパーといった周知の表示部材を用いることができるし、透過型の画像表示部として、例えば透過型の液晶表示パネルといった周知の表示部材を用いることもできる。尚、透過型の画像表示部には、透過型と反射型の両者の特徴を併せ持った半透過型の画像表示部も包含される。
【００１６】
画素（ピクセル）の値として、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００１７】
本開示において、所定の閾値ＴＨ1は、画像表示部などの構成に応じて、適宜設定すればよい。この場合において、１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、閾値ＴＨ1の値を、ＷW_max／（ＷR+G+B_max＋ＷW_max）で与えられる値に設定する構成とすることで、白色副画素による画像の輝度の増加を最大限に発揮することができる。上述した明るさＷR+G+B_max，ＷW_maxの値は、画像表示部の構造に基づいて求めることができるし、あるいは又、画像表示部を動作させて測定することもできる。
【００１８】
本開示に用いられる信号生成部や信号生成装置は、例えば、演算回路や記憶装置から構成することができる。これらは、周知の回路素子等を用いて構成することができる。後述する図１に示す線形化・正規化部、非線形化・量子化部についても同様である。
【００１９】
信号生成部や信号生成装置は、例えば、ハードウェアによる物理的な結線に基づいて動作するといった構成であってもよいし、プログラムに基づいて動作するといった構成であってもよい。
【００２０】
本明細書に示す各種の条件は、厳密に成立する場合の他、実質的に成立する場合にも満たされる。例えば、「赤色」とは実質的に赤色として認識されれば足り、「緑色」とは実質的に緑色として認識されれば足りる。「青色」や「白色」についても同様である。設計上あるいは製造上生ずる種々のばらつきの存在は許容される。
【００２１】
［第１の実施形態］
第１の実施形態は、本開示に係る画像表示装置および画像表示装置の駆動方法、並びに、信号生成装置、信号生成プログラムおよび信号生成方法に関する。
【００２２】
説明の都合上、外部から入力される画像信号は、例えば８ビットのｓＲＧＢ方式（γ＝２．４）の信号であるとし、画像表示部はｓＲＧＢ方式の信号に基づいて画像を表示するものとする。外部から入力される画像信号のうち、赤色表示用の画像信号を符号ＲsRGB、緑色表示用の画像信号を符号ＧsRGB、青色表示用の画像信号を符号ＢsRGBと表す。画像信号ＲsRGB，ＧsRGB，ＢsRGBは、表示すべき画像の輝度に応じて０から２５５の間の値をとる。ここでは、値が［０］のときが最小輝度であり、値が［２５５］のときが最大輝度であるとして説明する。
【００２３】
図１は、第１の実施形態に係る画像表示装置の概念図である。
【００２４】
第１の実施形態に係る画像表示装置１は、赤色副画素４２R、緑色副画素４２G、青色副画素４２Bおよび白色副画素４２Wから構成された画素４２が２次元マトリクス状に配列された画像表示部４０、及び、表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部（信号生成装置）２０を備えている。尚、画像表示部４０において、画素４２が２次元マトリクス状に配列されて成る表示領域を、符号４１で示した。
【００２５】
画像表示装置１は、更に、外部から入力される画像信号ＲsRGB，ＧsRGB，ＢsRGBを線形化かつ正規化された画像信号とするための線形化・正規化部１０と、後述する生成信号Ｒcvt，Ｇcvt，Ｂcvt，Ｗcvtを８ビットのｓＲＧＢ方式の出力信号とするための非線形化・量子化部３０を備えている。
【００２６】
画像表示部４０は、例えば、電子ペーパーや反射型の液晶表示パネルから構成されている。即ち、画像表示部４０は反射型であり、画像表示部４０に入射する外光の反射率を変化させることで画像を表示する。尚、画像表示部４０を透過型の構成（例えば、透過型の液晶表示パネルと、出光する光の強さが固定された構成のバックライトとを組み合わせた構成）とすることもできる。
【００２７】
赤色副画素４２Rは、例えば赤色を透過するカラーフィルターと光を反射する程度が制御可能な反射領域とが積層した構造であり、入射する外光の反射率を制御することで赤色の表示を行う。同様に、緑色副画素４２Gは、例えば緑色を透過するカラーフィルターと反射領域とが積層した構造であり、青色副画素４２Bは、例えば青色を透過するカラーフィルターと反射領域とが積層した構造である。
【００２８】
ここで、理解を助けるため、白色副画素４２Wを追加することによる画像の輝度向上について説明する。先ず、白色副画素４２Wを有していない場合について説明する。
【００２９】
図２は、画素が赤色副画素、緑色副画素および青色副画素の３つの副画素から構成されていると仮定したときに、設計上の最大輝度で白色を表示した場合の明るさを説明するための模式的な平面図である。
【００３０】
説明の都合上、１つの画素４２が占める面積を符号ＳPXと表し、赤色副画素、緑色副画素および青色副画素を、それぞれ、符号４２R’、４２G’および４２B’と示す。また、各副画素が占める面積は、略ＳPX／３であるとする。
【００３１】
赤色副画素４２R’、緑色副画素４２G’、青色副画素４２B’は、加法混色（より詳しくは、併置加法混色）によって白色表示を行う。
【００３２】
説明の都合上、ここでは、一定の強さの白色の外光が画素４２に入射するものとし、赤色副画素４２R’が設計上の最大輝度となるときは外光における赤色成分の約半分を反射した状態であり、緑色副画素４２G’が設計上の最大輝度となるときは外光における緑色成分の約半分を反射した状態であり、青色副画素４２B’が設計上の最大輝度となるときは外光における緑色成分の約半分を反射した状態であるとする。後述する図３を参照して行う説明においても同様である。
【００３３】
ここで、画素４２に入射する外光の明るさを「１」とすると、赤色副画素４２R’、緑色副画素４２G’、青色副画素４２B’の加法混色による白色表示のが設計上の最大輝度、つまり出射光の明るさは略「１／２」となる。
【００３４】
次いで、白色副画素４２Wを有している場合について説明する。
【００３５】
図３は、赤色副画素、緑色副画素、青色副画素および白色副画素の４つの副画素から画素が構成されている構成の画像表示部において、設計上の最大輝度で白色を表示した場合の明るさを説明するための模式的な平面図である。
【００３６】
説明の都合上、赤色副画素４２R、緑色副画素４２G、青色副画素４２Bおよび白色副画素４２Wの占める面積は、略ＳPX／４であるとする。
【００３７】
図３において赤色副画素４２R、緑色副画素４２G、青色副画素４２Bが占める面積は、図２において赤色副画素４２R’、緑色副画素４２G’、青色副画素４２B’が占める面積の３／４である。従って、赤色副画素４２R、緑色副画素４２G、青色副画素４２Bの加法混色における白色の明るさ（出射光の明るさ）は、「１／２」×「３／４」、つまり「３／８」となる。
【００３８】
また、白色副画素４２Wが設計上の最大輝度となるとき白色の外光のすべてを反射するとすると、白色副画素４２Wにおける白色の明るさ（出射光の明るさ）は、画素４２に入射する外光の明るさが「１」のとき、白色副画素の占める面積から「１／４」となる。
【００３９】
従って、図３における画素の明るさは、「３／８」＋「１／４」、つまり略「５／８」となる。
【００４０】
以上説明したように、設計上の最大輝度で白色を表示するといった場合に、図３の構成は、図２の構成よりも画像の輝度をより高めることができる。
【００４１】
以上、白色副画素４２Wを追加することによる画像の輝度向上について説明した。次いで、第１の実施形態における動作について詳しく説明する。尚、以下説明する動作は、１つの画素に対応する信号毎に行われる。
【００４２】
第１の実施形態において、画像表示装置１を構成する信号生成部（信号生成装置）２０は、図示せぬ記憶手段に格納されている信号生成プログラムに基づいて動作する。線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部（信号生成装置）２０は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する。
【００４３】
第１の実施形態において、上述した閾値ＴＨ1は、１つの画素４２において赤色副画素４２R、緑色副画素４２Gおよび青色副画素４２Bによって表示し得る設計上の最大の白色表示の明るさをＷR+G+B_maxと表し、１つの画素４２において白色副画素４２Wによって表示し得る設計上の最大の白色表示の明るさをＷW_maxと表すとき、ＷW_max／（ＷR+G+B_max＋ＷW_max）で与えられる値に設定されている。
【００４４】
図３に示す例では、ＷW_max／（ＷR+G+B_max＋ＷW_max）で与えられる値は[０．４］である。
【００４５】
線形化・正規化部１０は、入力される画像信号ＲsRGB，ＧsRGB，ＢsRGBに基づいて、線形化かつ正規化された信号を生成する。
【００４６】
説明の都合上、先ず、赤色表示用の信号ＲnLの生成について説明する。以下の式（１）ないし（３）を行うことによって、信号ＲnLを生成することができる。尚、式（１）ないし（３）における符号Ｒtemp1は、計算の便宜のための一時的な変数である。
【００４７】
Ｒtemp1＝ＲsRGB／２５５                             （１）
【００４８】
Ｒtemp1≦０．０４０４５のとき、
ＲnL＝Ｒtemp1／１２．９２                           （２）
Ｒtemp1＞０．０４０４５のとき、
ＲnL＝（（Ｒtemp1＋０．０５５）／１．０５５）2.4    （３）
【００４９】
線形化かつ正規化された緑色表示用の信号ＧnLおよび青色表示用の信号ＢnLの生成も、同様の式に基づいて生成することができる。例えば、信号ＧnLの生成については、上述した式（１）ないし（３）において、符号Ｒtemp1を符号Ｇtemp1と読み替え、符号ＲnLを符号ＧnLと読み替えればよい。信号ＢnLの生成についても、適宜読み替えをおこなえばよい。
【００５０】
次いで、図１に示す信号生成部２０の動作について説明する。信号生成部２０は、線形化・正規化された信号ＲnL，ＧnL，ＢnLと、所定の値に定めた閾値ＴＨ1とに基づいて、各副画素用に信号を生成する。赤色副画素用の信号を符号Ｒcvt、緑色副画素用の信号を符号Ｇcvt、青色副画素用の信号を符号Ｂcvt、白色副画素用の信号を符号Ｗcvtと表す。
【００５１】
信号ＲnL，ＧnL，ＢnLおよび閾値ＴＨ1に基づいて、信号Ｒcvt，Ｇcvt，Ｂcvt，Ｗcvtを生成する動作について説明する。
【００５２】
信号ＲnL，ＧnL，ＢnLの最小値を、符号ＭｉｎＲＧＢnLと表す。最小値ＭｉｎＲＧＢnLは、引数の最小値を出力する関数ｍｉｎを用いれば、以下の式（４）のように表すことができる。
【００５３】
ＭｉｎＲＧＢnL＝ｍｉｎ（ＲnL，ＧnL，ＢnL）          （４）
【００５４】
そして、ＭｉｎＲＧＢnL≦ＴＨ1の場合は、以下の式（５），（６），（７），（８）に基づいて、信号を生成する。
【００５５】
Ｗcvt＝ＭｉｎＲＧＢnL／ＴＨ1                        （５）
【００５６】
Ｒcvt＝ＲnL−Ｗcvt×ＴＨ1
＝ＲnL−Ｗcvt                                  （６）
【００５７】
Ｇcvt＝ＧnL−Ｗcvt×ＴＨ1
＝ＧnL−Ｗcvt                                  （７）
【００５８】
Ｂcvt＝ＢnL−Ｗcvt×ＴＨ1
＝ＢnL−Ｗcvt                                  （８）
【００５９】
また、ＭｉｎＲＧＢnL＞ＴＨ1の場合は、以下の式（９），（１０），（１１），（１２）に基づいて、信号を生成する。
【００６０】
Ｗcvt＝１                                           （９）
【００６１】
Ｒcvt＝（ＲnL−Ｗcvt×ＴＨ1）／（１−ＴＨ1）
＝（ＲnL−ＴＨ1）／（１−ＴＨ1）              （１０）
【００６２】
Ｇcvt＝（ＧnL−Ｗcvt×ＴＨ1）／（１−ＴＨ1）
＝（ＧnL−ＴＨ1）／（１−ＴＨ1）              （１１）
【００６３】
Ｂcvt＝（ＢnL−Ｗcvt×ＴＨ1）／（１−ＴＨ1）
＝（ＢnL−ＴＨ1）／（１−ＴＨ1）              （１２）
【００６４】
以上、信号生成部２０の動作について説明した。
【００６５】
生成された信号Ｗcvt，Ｒcvt，Ｇcvt，Ｂcvtは、非線形化・量子化部３０に入力され、ｓＲＧＢ方式のデジタル信号として出力される。デジタル化された信号のうち、赤色副画素用の信号を符号Ｒout、緑色副画素用の信号を符号Ｇout、青色副画素用の信号を符号Ｂout、白色副画素用の信号を符号Ｗoutと表す。
【００６６】
説明の都合上、先ず、赤色副画素用の信号Ｒoutについて説明する。以下の式（１３）ないし（１５）に基づいて、信号Ｒoutを生成することができる。尚、式（１３）ないし（１５）における符号Ｒtemp2は、計算の便宜のための一時的な変数である。また、式（１５）における関数ｒｏｕｎｄは、小数点以下の数値を四捨五入して整数化する関数である。
【００６７】
Ｒcvt≦０．００３１３０８のとき、
Ｒtemp2＝１２．０２×Ｒcvt                         （１３）
【００６８】
Ｒcvt＞０．００３１３０８のとき、
Ｒtemp2＝１．０５５×Ｒcvt1/2.4−０．０５５        （１４）
【００６９】
Ｒout＝ｒｏｕｎｄ（２５５×Ｒtemp2）                   （１５）
【００７０】
緑色副画素用の信号Ｇout、青色副画素用の信号Ｂoutおよび白色副画素用の信号Ｗoutも、同様の式に基づいて生成することができる。例えば、信号Ｇoutの生成については、上述した式（１３）ないし（１５）において、符号Ｒtemp2を符号Ｇtemp1と読み替え、符号Ｒcvtを符号Ｇcvtと読み替え、符号Ｒoutを符号Ｇoutと読み替えればよい。信号Ｂout，Ｗoutの生成についても、適宜読み替えをおこなえばよい。
【００７１】
画像表示部４０は、赤色副画素用の信号Ｒout、緑色副画素用の信号Ｇout、青色副画素用の信号Ｂoutおよび白色副画素用の信号Ｗoutに基づいて動作し、画像を表示する。
【００７２】
次いで、図４、図５および図６を参照して、生成されるデータの例について説明する。
【００７３】
図４は、ＭｉｎＲＧＢnL≦ＴＨ1である場合の処理を説明するための模式的なグラフである。
【００７４】
図４の例では、信号ＲnL，ＧnL，ＢnLの最小は信号ＢnLである（図の［１］）。信号Ｗcvtは、上述した処理に基づいて、信号Ｗcvt＝ＢnL／ＴＨ1＝２×ＢnLとなる（図の［２］）。また、Ｒcvt＝ＲnL−ＢnL、Ｇcvt＝ＧnL−ＢnL、Ｂcvt＝ＢnL−ＢnLとなる（図の［３］）。
【００７５】
図５は、ＭｉｎＲＧＢnL＞ＴＨ1である場合の処理を説明するための模式的なグラフである。
【００７６】
図５の例では、信号ＲnL，ＧnL，ＢnLの最小は信号ＢnLである（図の［１］）。信号Ｗcvtは、上述した処理に基づいて、信号Ｗcvt＝１となる（図の［２］）。また、Ｒcvt＝（ＲnL−ＴＨ1）／（１−ＴＨ1）＝（ＲnL−０．５）×２、Ｇcvt＝（ＧnL−ＴＨ1）／（１−ＴＨ1）＝（ＧnL−０．５）×２、Ｂcvt＝（ＢnL−ＴＨ1）／（１−ＴＨ1）＝（ＢnL−０．５）×２となる（図の［３］）。
【００７７】
図６は、最大輝度で白色を表示する映像信号が入力される場合の処理を説明するための模式的なグラフである。
【００７８】
この場合、信号ＲnL，ＧnL，ＢnL＝１である（図の［１］）。信号Ｗcvtは、上述した処理に基づいて、信号Ｗcvt＝１となる（図の[２]）。また、Ｒcvt＝（ＲnL−ＴＨ1）／（１−ＴＨ1）＝（１−０．５）×２＝１、Ｇcvt＝（ＧnL−ＴＨ1）／（１−ＴＨ1）＝（１−０．５）×２＝１、Ｂcvt＝（ＢnL−ＴＨ1）／（１−ＴＨ1）＝（１−０．５）×２＝１となる（図の［３］）。
【００７９】
このように、最大輝度で白色を表示する映像信号が入力されると、赤色副画素用の信号Ｒcvt、緑色副画素用の信号Ｇcvt、青色副画素用の信号Ｂcvtおよび白色副画素用の信号Ｗcvtの全てが［１］となるように信号が生成される。従って、画像表示部４０の設計上の最大の輝度で、白色表示を行うことができる。
【００８０】
以上、第１の実施形態の動作について説明した。次いで、理解を助けるため、参考例の動作と対比して第１の実施形態による効果を説明する。
【００８１】
例えば、信号ＲnL，ＧnL，ＢnLの最小値を信号Ｗcvtの値とし、各信号ＲnL，ＧnL，ＢnLから信号Ｗcvtを引いて、信号Ｒcvt，Ｇcvt，Ｂcvtとする参考例が考えられる。具体的には、以下の式（１５）ないし（１８）に示す処理を行う。
【００８２】
Ｗcvt＝ＭｉｎＲＧＢnL                              （１５）
Ｒcvt＝ＲnL−Ｗcvt                                 （１６）
Ｇcvt＝ＧnL−Ｗcvt                                 （１７）
Ｂcvt＝ＢnL−Ｗcvt                                 （１８）
【００８３】
しかしながら、この方法では、信号ＲnL，ＧnL，ＢnLの全てが［１］であるとき、Ｗcvt＝１、Ｒcvt，Ｇcvt，Ｂcvt＝０となる。従って、第１の実施形態とは異なり、白副画素を加えることによる画像の輝度の向上を図ることができない。
【００８４】
また、例えば、信号ＲnL，ＧnL，ＢnLの最小値を信号Ｗcvtの値とし、各信号ＲnL，ＧnL，ＢnLをそのまま信号Ｒcvt，Ｇcvt，Ｂcvtとする参考例が考えられる。具体的には、以下の式（１９）ないし（２２）に示す処理を行う。
【００８５】
Ｗcvt＝ＭｉｎＲＧＢnL                              （１９）
Ｒcvt＝ＲnL                                        （２０）
Ｇcvt＝ＧnL                                        （２１）
Ｂcvt＝ＢnL                                        （２２）
【００８６】
しかしながら、この方法では、信号ＲnL，ＧnL，ＢnLの最小値または最大値が一定となるように信号を変化させたとき、信号ＲnL，ＧnL，ＢnLから算出される色度と、信号Ｒcvt，Ｇcvt，Ｂcvt，Ｗcvtから算出される色度のズレが、第１の実施形態よりも大きくなる。
【００８７】
また、例えば、信号ＲnL，ＧnL，ＢnLの平均値を信号Ｗcvtの値とし、各信号ＲnL，ＧnL，ＢnLをそのまま信号Ｒcvt，Ｇcvt，Ｂcvtとする参考例が考えられる。具体的には、以下の式（２３）ないし（２６）に示す処理を行う。尚、式（２３）に示すＡｖｅＲＧＢnLは信号ＲnL，ＧnL，ＢnLの平均値を示す。
【００８８】
Ｗcvt＝ＡｖｅＲＧＢnL                              （２３）
Ｒcvt＝ＲnL                                        （２４）
Ｇcvt＝ＧnL                                        （２５）
Ｂcvt＝ＢnL                                        （２６）
【００８９】
しかしながら、この方法では、信号ＲnL，ＧnL，ＢnLの最大値と最小値の差が大きくなるほど、信号ＲnL，ＧnL，ＢnLから算出される色度と、信号Ｒcvt，Ｇcvt，Ｂcvt，Ｗcvtから算出される色度のズレが、第１の実施形態よりも大きくなる。
【００９０】
以上、この発明の実施形態について具体的に説明したが、この発明は、上述の実施形態に限定されるものではなく、この発明の技術的思想に基づく各種の変形が可能である。
【００９１】
例えば、閾値ＴＨ1に加えて更に他の閾値を設定しておき、ＭｉｎＲＧＢnLとの大小関係によって信号処理を切り替えるといった構成としてもよい。
【００９２】
なお、本開示の技術は以下のような構成も取ることができる。
［１］
赤色副画素、緑色副画素、青色副画素および白色副画素から構成された画素が２次元マトリクス状に配列された画像表示部、及び、
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部、
を備えており、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置。
［２］
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
上記［１］に記載の画像表示装置。
［３］
画像表示部は反射型である上記［１］又は［２］に記載の画像表示装置。
［４］
画像表示部は透過型である上記［１］又は［２］に記載の画像表示装置。
［５］
赤色副画素、緑色副画素、青色副画素および白色副画素から構成された画素が２次元マトリクス状に配列された画像表示部、及び、表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成部を備えた画像表示装置の駆動方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、信号生成部は、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
画像表示装置の駆動方法。
［６］
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
上記［５］に記載の画像表示装置の駆動方法。
［７］
画像表示部は反射型である上記［５］又は［６］に記載の画像表示装置の駆動方法。
［８］
画像表示部は透過型である上記［５］又は［６］に記載の画像表示装置の駆動方法。
［９］
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置において実行されることにより、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成プログラム。
［１０］
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
上記［９］に記載の信号生成プログラム。
［１１］
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成装置であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成装置。
［１２］
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
上記［１１］に記載の信号生成装置。
［１３］
表示すべき画像に応じて供給される赤色表示用の画像信号、緑色表示用の画像信号および青色表示用の画像信号に基づいて、赤色副画素用の信号、緑色副画素用の信号、青色副画素用の信号および白色副画素用の信号を生成する信号生成方法であって、
線形化かつ正規化され画素に対応した赤色表示用の画像信号、緑色表示用の画像信号および青色表示用の画像信号をそれぞれ符号ＲnL、符号ＧnL、符号ＢnLと表し、それらの最小値をＭｉｎＲＧＢnLと表し、所定の値に定められた閾値を符号ＴＨ1（但し、０＜ＴＨ1＜１）と表すとき、
ＭｉｎＲＧＢnL≦ＴＨ1の場合には、
白色副画素用の信号の値をＭｉｎＲＧＢnL／ＴＨ1、
赤色副画素用の信号の値をＲnL−ＭｉｎＲＧＢnL、
緑色副画素用の信号の値をＧnL−ＭｉｎＲＧＢnL、
青色副画素用の信号の値をＢnL−ＭｉｎＲＧＢnL、
として各副画素用の信号を生成し、
ＭｉｎＲＧＢnL＞ＴＨ1の場合には、
白色副画素用の信号の値を１、
赤色副画素用の信号の値を（ＲnL−ＴＨ1）／（１−ＴＨ1）、
緑色副画素用の信号の値を（ＧnL−ＴＨ1）／（１−ＴＨ1）、
青色副画素用の信号の値を（ＢnL−ＴＨ1）／（１−ＴＨ1）、
として各副画素用の信号を生成する、
信号生成方法。
［１４］
１つの画素において赤色副画素、緑色副画素および青色副画素によって表示し得る設計上の最大の白色表示の明るさをＷR+G+B_maxと表し、１つの画素において白色副画素によって表示し得る設計上の最大の白色表示の明るさをＷW_maxと表すとき、
閾値ＴＨ1の値を、ＷW_max／（ＷR+G+B_max＋ＷW_max）で与えられる値に設定する、
上記［１３］に記載の信号生成方法。
【符号の説明】
【００９３】
１・・・画像表示装置、１０・・・線形化・正規化部、２０・・・信号生成部（信号生成装置）、３０・・・非線形化・量子化部、４０・・・画像表示部、４１・・・表示領域、４２，４２’・・・画素、４２W・・・白色副画素、４２R，４２R’・・・赤色副画素、４２G，４２G’・・・緑色副画素、４２B，４２B’・・・青色副画素、ＲsRGB，ＧsRGB，ＢsRGB・・・ｓＲＧＢ規格の画像信号、ＲnL，ＧnL，ＢnL・・・線形化かつ正規化された画像信号、Ｒcvt，Ｇcvt，Ｂcvt，Ｗcvt・・・各副画素用の変換された信号、Ｒout，Ｇout，Ｂout，Ｗout・・・非線形化かつ量子化された信号
【図１】
2014038348.tif 000003
【図２】
2014038348.tif 000004
【図３】
2014038348.tif 000005
【図４】
2014038348.tif 000006
【図５】
2014038348.tif 000007
【図６】
2014038348.tif 000008
【国際調査報告】
2014038348.tif 000009
2014038348.tif 000010
2014038348.tif 000011
2014038348.tif 000012